(57)【要約】【課題】血圧計用カフを筒状のまま上腕部等の測定部位に容易に脱着できるようにすること。【解決手段】外布３と内布２との間に阻血用空気袋４が配置された血圧計用カフ１において、厚みの変化するクッション手段としてのスポンジ材７を空気袋４の外面に沿って配置することで、同一測定者であれば、最初の血圧測定に際してカフ１を面ファスナー１４によって巻き付け装着して後、次回以降の血圧測定では、最初の血圧測定で巻き付けた筒状のままで、上腕部等の測定部位に容易に脱着できるようにした血圧計用カフ。【選択図】        図２
2004195056.tif 000002
【特許請求の範囲】
【請求項１】
血圧の測定部位に装着する血圧計用カフであって、外布と内布との間に空気袋が配置され、前記空気袋と前記外布の間には前記空気袋の外面に沿ってクッション手段を備え、前記クッション手段は、厚さが少なくとも測定部位と測定部位の末梢側の最大部位の太さの差だけ変化可能であることを特徴とする血圧計用カフ。
【請求項２】
前記クッション手段がスポンジ材で構成されていることを特徴とする請求項１に記載の血圧計用カフ。
【請求項３】
前記内布が伸縮性を有し、該内布の少なくとも測定部位と接触する部分が低摩擦性を有することを特徴とする請求項１または請求項２に記載の血圧計用カフ。
【請求項４】
前記クッション手段と前記外布との間に弾性を有する湾曲板を配置したことを特徴とする請求項１ないし請求項３のいずれかに記載の血圧計用カフ。
【請求項５】
前記カフの展開形状での長手方向の一端部にリングが設けられ、該カフの該長手方向の他端側を前記リングを通して折り返し可能に構成されたことを特徴とする請求項１ないし請求項４のいずれかに記載の血圧計用カフ。
【請求項６】
前記カフの展開形状での長手方向に対して直角方向に伸びるハンドルを該カフの外側に設けたことを特徴とする請求項１ないし請求項５のいずれかに記載の血圧計用カフ。
【請求項７】
前記カフの展開形状での長手方向に対して直角方向に伸びるタブを該カフの該長手方向に対する直角方向の端部に設けたことを特徴とする請求項１ないし請求項６のいずれかに記載の血圧計用カフ。
【請求項８】
前記空気袋に接続されたチューブが前記ハンドルを通して外部に導出されたことを特徴とする請求項６に記載の血圧計用カフ。
【発明の詳細な説明】
【０００１】
【発明の属する技術分野】
本発明は、測定者の上腕等の測定部位に装着して血圧を測定する血圧計用カフの技術分野に属するものである。
【０００２】
【従来の技術】
従来のクッション手段を備える血圧計用カフとしては、空気袋の内部にスポンジを設けることで、二重のクッション作用による圧迫効果を得ることができるものがある。（例えば、特許文献１参照。）
また、圧迫用空気袋と押圧用空気袋を備えるカフで、これらの空気袋の間にスポンジなどの介在部材を設けることで、圧迫用空気袋を保持すると共に押圧用空気袋の圧力が圧迫用空気袋に均等に加わるようにしたものがある。（例えば、特許文献２参照。）
また、従来の筒状に形成されたカフとしては、阻血袋（空気袋）を設けた内周側巻き付け帯とこの内周側巻き付け帯の外側に外周側巻き付け帯を備えるカフで、内周側巻き付け帯を伸縮自在の筒状に形成することにより、測定部位に密着して巻き付けることで、阻血圧力の低下を防ぎ、巻き付け力に再現性を持たせているものがある。（例えば、特許文献３参照。）
更に、従来の血圧計に取り付けられるハンドル（把持グリップ）としては、計器本体とカフ（加減圧部材）の一体型の血圧計で、計器本体に、カフの筒状空間の上腕への挿入方向と平行に把持グリップを備えることで、上腕への装着操作が容易となるものがある。（例えば、特許文献４参照。）
【特許文献１】実公平４−４８１６３号公報
【特許文献２】特開平１１−３０９１１９号公報（段落００１５、図２）
【特許文献３】特開平１０−３３４８９号公報
【特許文献４】実用新案登録第２５６０４７５号公報
【発明が解決しようとする課題】
しかしながら、特許文献１に記載の血圧計用カフでは、スポンジが空気袋の内部に配置されているために、スポンジ内に充填された空気が排出されるためには、空気袋に接続された細いチューブを通る必要があり空気の排出抵抗が大きく、排気に時間がかかることになる。このため、血圧測定後に、スポンジの弾性による体積変化（厚さの変化）を利用して、カフを筒状に巻き付けたままで測定部位から抜き取ったり、測定に際して、カフを筒状に巻き付けたままで測定部位に装着することは容易ではない。
【０００３】
特許文献２の記載の血圧計用カフでは、スポンジは、単に、圧迫用空気袋と押圧用空気袋の間の介在部材として用いられているものであり、スポンジの弾性による厚さの変化が利用されてはいない。このため、血圧測定後に、カフを筒状に巻き付けたままで測定部位から抜き取ったり、測定に際して、カフを筒状に巻き付けたままで測定部位に装着することはできないものである。実際、特許文献２に記載の血圧計用カフは、カフを常時装着できる効果を有するものであり（段落００２６）、カフを巻き付けたまま脱着されるものではない。
【０００４】
また、特許文献３に記載の血圧計用カフでは、内周側巻き付け帯を伸縮自在の筒状に形成することにより、測定に際して、内周側巻き付け帯については巻き付けは不要にすることはできるが、依然として、外周側巻き付け帯については測定の度に、巻き付けが必要である。このため、血圧測定後に、外周側巻き付け帯を巻き付けたままで測定部位から抜き取ったり、測定に際して、外周側巻き付け帯を巻き付けたままで測定部位に装着することはできない。
【０００５】
従って、特許文献１、２、３のいずれに記載の血圧計用カフでも、測定の度に、カフを測定部位に巻き付けなければならず、カフの脱着の操作が煩雑である。
【０００６】
尚、特許文献４に記載の血圧計では、ハンドル（把持グリップ）を計器本体に設けることで、カフの上腕（測定部位）への抜き差しは容易となるが、カフ筒状の内径は抜き差しで上腕より太い肘を通過させる必要から大きいままで上腕にはゆるく装着される。このため、カフの装着を十分にする（センサーなどの安定した位置合わせを容易にする）ためには、装着の度に、カフを上腕に装着して後、カフの筒状の大きさを調整する必要がある。
【０００７】
本発明は、上記の問題を解決するためになされたものであって、同一の測定者であれば、最初の血圧測定時にカフを巻き付けるだけで、次回以降は、カフの巻き付けを必要とせずに、容易に安定して、上腕などの測定部位に装着できる血圧計用カフを提供することを目的としている。また、カフの巻き付け状態による測定のばらつきをなくし、血圧管理を適切に行うことができる血圧計用カフを提供することを目的とする。
【０００８】
【課題を解決するための手段】
上記の目的を達成するための本発明の血圧計用カフは、下記［１］〜［８］の通りである。
【０００９】
［１］  血圧の測定部位に装着する血圧計用カフであって、外布と内布との間に空気袋が配置され、前記空気袋と前記外布の間には前記空気袋の外面に沿ってクッション手段を備え、前記クッション手段は、厚さが少なくとも測定部位と測定部位の末梢側の最大部位の太さの差だけ変化可能であることを特徴とする血圧計用カフ。
【００１０】
［２］  前記クッション手段がスポンジ材で構成されていることを特徴とする上記［１］に記載の血圧計用カフ。
【００１１】
［３］  前記内布が伸縮性を有し、該内布の少なくとも測定部位と接触する部分が低摩擦性を有することを特徴とする上記［１］または上記［２］に記載の血圧計用カフ。
【００１２】
［４］  前記クッション手段と前記外布との間に弾性を有する湾曲板を配置したことを特徴とする上記［１］ないし上記［３］のいずれかに記載の血圧計用カフ。
【００１３】
［５］  前記カフの展開形状での長手方向の一端部にリングが設けられ、該カフの該長手方向の他端側を前記リングを通して折り返し可能に構成されたことを特徴とする上記［１］ないし上記［４］のいずれかに記載の血圧計用カフ。
【００１４】
［６］  前記カフの展開形状での長手方向に対して直角方向に伸びるハンドルを該カフの外側に設けたことを特徴とする上記［１］ないし上記［５］のいずれかに記載の血圧計用カフ。
【００１５】
［７］  前記カフの展開形状での長手方向に対して直角方向に伸びるタブを該カフの該長手方向に対する直角方向の端部に設けたことを特徴とする上記［１］ないし上記［６］のいずれかに記載の血圧計用カフ。
【００１６】
［８］  前記空気袋に接続されたチューブが前記ハンドルを通して外部に導出されたことを特徴とする上記［６］に記載の血圧計用カフ。
【００１７】
上記のように構成された本発明の血圧計用カフは、外布と内布との間に空気袋が配置され、前記空気袋と前記外布の間には前記空気袋の外面に沿ってクッション手段を備え、前記クッション手段は、厚さが少なくとも測定部位と測定部位の末梢側の最大部位の太さの差だけ変化可能であるように構成したので、一旦上腕等の測定部位に適切に巻き付けて筒状にしたカフは、クッション手段の弾性による厚みの変化によりカフの内径が容易に広がり測定部位より末梢側の最大部位（測定部位が上腕の場合には肘のあたり）を通過できる。
【００１８】
【発明の実施の形態】
以下、本発明を測定部位として上腕に適用した場合の血圧計用カフの実施例を図を参照して、以下の順序で説明する。
（１）・・・  血圧計用カフの第１の実施例の説明（図１〜図７）
（２）・・・  血圧計用カフの第２の実施例の説明（図８）
（３）・・・  血圧計用カフの第３の実施例の説明（図９）
（４）・・・  血圧計用カフの第４の実施例の説明（図１０）
（１）・・・  血圧計用カフの第１の実施例の説明
初めに、図１〜図７によって、血圧計用カフの第１の実施例について説明する。
【００１９】
図１は、本実施例のカフの斜視図である。図２は、図１のカフのカフ長手方向の中央での断面をカフの後端側（チューブの導出される側）に向かってみた図である。図３と図４は、それぞれ、図１のカフのハンドルを除いた展開形状をカフ外面と内面からみた図である。図３ではハンドルの取り付け位置が１点鎖線で示されている。図５は、図１のハンドルの説明図である。図５（Ａ）はハンドルの構造を説明する図２でのＡ−Ａ断面図であり、（Ｂ）は、（Ａ）のハンドル部分についてのＢ−Ｂ矢視図である。図６は、図１のカフを測定部位に脱着する様子を説明する図である。また、図７は、測定部位と測定部位の末梢側の最大部位について説明する図である。
【００２０】
この血圧計用カフ１は、内布（内面布）２と外布（外面布）３との間に大型（長尺）の阻血用空気袋４が配置されていて、圧力検出部である小型の圧力検出用空気袋５が阻血用空気袋４の内側（カフ装着時に測定部位側）表面で、阻血用空気袋４の長手方向のほぼ中央部に両面接着剤または溶着等にて接合されいる。この際、測定部位（上腕）と接触する内布２はスパンデックス等の伸縮性を有する素材で構成されていて、外布３はツイル生地等の非伸縮性を有する素材で構成されている。
【００２１】
そして、合成樹脂板等でほぼＣ型に湾曲されて、径方向（矢印ｘ方向）に弾性変形可能な湾曲板（バッキング）６が外布３と阻血用空気袋４の間に配置され、更に、クッション手段を構成する所定厚さのスポンジ材７が湾曲板６の内側に接着等にて接合されて阻血用空気袋４の外側に配置されている。展開形状の湾曲板６とスポンジ材７と阻血用空気袋４は、ほぼ同じ大きさの略長方形であり、これらは、重なって、これらとほぼ同じ大きさの略長方形の内布２とこの内布２よりも長手方向の長さの長い外布３との間に配置されている。
【００２２】
そして、合成樹脂等にて成形されたハンドル８がカフ１の外側で、湾曲板６の展開形状の長手方向のほぼ中央部に、その長手方向に対して直角方向に伸びるように取り付けられている。この際、図５（Ａ）を参照して、ハンドル８の両端部の下部に形成される凹部８ａが湾曲板６の展開形状の幅方向（展開形状の長手方向に対して直角方向）の両端部の上部に一体形成される凸部６ａに嵌め込まれ、ハンドル８の凹部８ａの両端からピン（図示せず）を湾曲板６の凸部６ａに形成された穴６ｃに通すことにより、ハンドル８が湾曲板６の上に固定される。更に、ハンドル８の湾曲板６の上での位置を安定させるために、ハンドル８の凹部８ａより長手方向中央側の下部に２つの凹部８ｂが形成され、この凹部８ｂに湾曲板６の凸部６ａより幅方向中央側の２つの凸部６ｂが嵌め込まれている。尚、ハンドル８の下部の凹部８ａと湾曲板６の上部に形成される凸部６ａの嵌め込み構造による前述のハンドル８の湾曲板６上への固定が充分に安定している場合には、ハンドル８の凹部８ｂへの湾曲板６の凸部６ｂの嵌め込みの構造は、必ずしも要するものではない。
【００２３】
ハンドル８の直接手で把持する部分は、ほぼ長手方向の全域にわたり、図２に示されるように、断面が上面凹で下面凸となるゆるやかな曲面を有して肉厚をほぼ一定に保っている。そして、下面の凸曲面は手の握りを容易にし、上面の凹曲面では、ハンドルの長手方向に対しては溝を形成するため、図６にみるようにこの溝８ｃに親指を置いてのカフの抜き差しを容易にする。尚、本実施例では、図５（Ｂ）にみるように、ハンドル８のほぼ長手方向の全域にわたり、上面には断面凹となる溝８ｃが形成されているが、親指のおかれることのないハンドルの位置（チューブ１２，１３の導出される側の位置、後端部）については溝をつくらないことで、親指のおかれる位置（チューブ１２，１３の導出される側の反対側の位置、前端部）を明確にして、測定者がカフの上腕部への挿入方向を誤らないようにする（カフをチューブ１２，１３の導出される側から挿入しないようにする）こともできる。また、親指のおかれる位置を明確にして、測定者がカフの上腕部への挿入方向を誤らないようにするために、ハンドル８の把持する部分についてチューブ１２，１３の導出される側の部分（小指で把持される部分）の幅を狭くすることもできる。
【００２４】
更に、ハンドル８の後端部（チューブ１２，１３が導出される方向の端部）については、図５（Ａ）（Ｂ）の１点鎖線にみるように、カフ端部からやや突出するように延長して、給排気用チューブ１２と圧力検出用チューブ１３を通して保持できる１つの穴（チューブ挿通穴）９を設けることもできる。このようにすることで、後述する筒状にされた血圧計用カフ１の測定部位への着脱（抜き差し）に際して、給排気用チューブ１２や圧力検出用チューブ１３が内布２の内側に巻き込まれたり、折れ曲がったりするようなことがなく、スムーズに抜き差しすることができる。
【００２５】
そして、外布３の長手方向における一端３ｂから中央に向かって、外布３の内面に縫合や接着等にて面ファスナーループ１４ａが取り付けられており、その外布３の長手方向における他端３ｃよりの外面に縫合や接着等にて取り付けられた面ファスナーフック１４ｂとによって相互に脱着可能な面ファスナー１４が構成されている。なお、外布３の外面の幅方向の中央部に長手方向の一端３ｂから長手方向の中央にかけて、短冊型の面ファスナー１５が縫合や接着等で取り付けられている。この面ファスナー１５は、ループとフックが交互に植え付けられているもの（ループとフックの一体型）であり、任意の位置で折り返して、折り返しの両側での係合が可能となっている。
【００２６】
この血圧計用カフ１は、以上のように構成されていて、次の要領で便利に使用することができる。
【００２７】
まず、最初の血圧測定に際しては、面ファスナー１４部分を開いた状態、すなわち面ファスナーループ１４ａを面ファスナーフック１４ｂから剥離させた状態で、一方の手でハンドル８を握り、他方の手の上腕部（測定部位）の外側へこの血圧計用カフ１を緩やかに装着する。
【００２８】
次に、図２に示すように、ハンドル８の位置を目安に血圧計用カフ１の圧力検出用空気袋５を他方の手Ｈ２の上腕部の動脈に位置合わせした後、外布３の一端３ｂを他端３ｃの外側へ巻き込むように筒状にして、面ファスナーループ１４ａを面ファスナーフック１４ｂに係合させるようにして面ファスナー１４を閉じる。この操作によって、この血圧計用カフ１は上腕部に筒状で、かつ、適度に締め付けられた状態で装着される。このとき、圧力検出用空気袋５は上腕部の動脈の内側に適度な圧力で当て付けられている。そして、外布３の一端３ｂの先端の余った部分は、外布３に取り付けられた短冊型の面ファスナー１５の折り返し係合を利用して、折り返して固定できる。この際、湾曲板６によって血圧計用カフ１が上腕部の外周に軽圧着されているので、外布３の巻き付け及び面ファスナー１４による固定の操作を片手Ｈ１で行える。
【００２９】
本実施例では、以上のように血圧測定用カフ１を上腕に装着して後、血圧計本体からの自動ポンプ（図示せず）にて給排気用チューブ１２を通して阻血用空気袋４内に圧縮空気を給気して上腕部を圧迫阻血し、阻血用空気袋４内の圧縮空気を給排気用チューブ１２を通して排気する過程で、圧力検出用空気袋５によって動脈の圧力信号を正確に検出して、検出される圧力脈波に基づき血圧を測定する。すなわち、いわゆるオシロメトリック方式による血圧測定を行う。
【００３０】
なお、この血圧測定時には、阻血用空気袋４による圧迫反力によって外側のスポンジ材７は圧縮され厚みが変化する。
【００３１】
そして、この血圧測定後に、阻血用空気袋４内の空気が排気完了状態となれば、図２に示すように、スポンジ材７への圧縮力も解放されもとの厚みに復帰する。
【００３２】
スポンジ材７は、厚さが少なくとも上腕（測定部位）と肘あたりの部位（測定部位の末梢側の最大部位）の太さの差だけ変化可能となっていることから、血圧計用カフ１は測定時に巻き付けた筒状のままでも、肘あたりを無理なく通り抜けさせることができる。すなわち、面ファスナー１４を開いてカフ１を巻き外す必要なく、筒状のカフ１を腕より抜き取ることができる。
【００３３】
従って、本実施例では、初回の血液測定後、図６に示すように、一方の手Ｈ１でハンドル８を握って、カフ１を巻き外すことなく、筒状のままで、他方の手Ｈ２の上腕部から抜き取ることができるものである。
【００３４】
また、被測定者が同一での次回以降の血圧測定に際しても、図６に示すように、初回の血圧測定後に抜き取った筒状のカフ１について、ハンドル８を一方の手Ｈ１で握って、他方の手Ｈ２の腕に通すだけで、容易に、カフ１を手Ｈ２の上腕（測定部位）に適切に装着することができる。
【００３５】
尚、発明者は、多くの人について、図７にみるように上腕部（測定部位）の周囲長Ｌ１と上腕部の末梢側の最大部位の周囲長Ｌ２を測定している。その結果、周囲長Ｌ１が周囲長Ｌ２よりも大きい人もいるが、特に、腕全体が比較的細い人については、末梢側の最大部位の周囲長Ｌ２が上腕部の周囲長Ｌ１より大きくなることを見出した。しかし、そのように、末梢側の最大部位の周囲長Ｌ２が上腕部（測定部位）の周囲長Ｌ１より大きい場合においても、通常、１５ｍｍ以上になることは稀であることを見出した。
【００３６】
このため、本実施例での前述のスポンジ材７の変化可能な厚さを特定する上腕（測定部位）と肘あたりの部位（測定部位の末梢側の最大部位）の太さの差とは、周囲長に関しては、Ｌ２がＬ１より大きい場合におけるＬ２−Ｌ１の最大値を意味し、より具体的には略１５ｍｍとなっている。従って、内径（直径）に関しては、略（１５／π）ｍｍ（πは円周率）であり、スポンジ材７の変化可能な厚さは、この半分である２〜３ｍｍ程度（略２．５ｍｍ程度）となっている。
【００３７】
以上のように、この血圧計用カフ１は、阻血用空気袋４の外側に厚さが少なくとも上腕部（測定部位）と肘あたりの部位（測定部位の末梢側の最大部位）の太さの差だけ変化可能な所定厚さのスポンジ材７を配置して、筒状に巻かれた血圧計用カフ１の内径を自由に拡大できるように構成している。従って、同一の測定者が繰り返し血圧測定を行う場合に、図２で示したように、最初の血圧測定時に、外布３を巻き付けて、面ファスナー１４を閉じるようにして、この血圧計用カフ１を他方の手Ｈ２の上腕部に巻き付けた筒状を保っておくだけで、次回以降の血圧測定時には、面ファスナー１４によって外布３をその都度巻き解いたり、巻き戻すようなカフの巻き解き、巻き付けを一切行わなくても、スポンジ材７の弾性による厚さの変化を有利に利用して、この筒状の血圧計用カフ１を他方の手Ｈ２の上腕部（測定部位）に簡単に抜き差しすることができる。
【００３８】
従って、この血圧計用カフ１は測定部位に対する繰り返しの脱着に関する操作性が非常に良いと言う利点を有している。
【００３９】
（２）・・・  血圧計用カフの第２の実施例の説明
次に、図８は、この血圧計用カフ１の第２の実施例を示したものであって、この場合は、ハンドル８に代わる一対のタブ２１、２２を湾曲板６の展開形状の長手方向のほぼ中央位置で外布３の両縁部３ａに縫合や接着或いはその外布３と一体に取り付けたものである。
【００４０】
そして、前述したように、筒状の血圧計用カフ１を上腕部に対して抜き差しする際に、一対のタブ２１、２２を交互に引っ張るようにすることで、抜き差しを腕の表面に沿って無理なくでき、カフ１の脱着を容易に行えるものである。
【００４１】
（３）・・・  血圧計用カフの第３の実施例の説明
次に、図９は、この血圧計用カフ１の第３の実施例を示したものであって、この場合は、第１の実施例で示した湾曲板６を用いないで、不使用時に、この血圧計用カフ１を扁平に折り畳むことを可能にして、格納や形態の便利性を向上させる一方、外布３の一端３ｂを挿通して折り返すことができるリング２５をその外布３の他端３ｃに縫合や接着等にて取り付けたものである。また、面ファスナー１４については、外布３の長手方向における一端３ｂから中央に向かって、面ファスナーフック１４ｂと面ファスナーループ１４ａが順に、外布３の外面に縫合や接着等により取り付けられていて、外布３の折り返しての係合が可能となっている。
【００４２】
従って、この血圧計用カフ１は、上腕部に巻き付けて、締め付ける際に、その外布３の一端３ｂ（カフの展開形状での長手方向の一端部）を他端３ｃ（カフの展開形状での長手方向の他端部）のリング２５に挿通して折り返すようにして適度に引っ張り、面ファスナー１４を閉じるだけて、血圧計用カフ１を上腕部に簡単に巻き付けて、締め付けることができ、上腕部（測定部位）に対する血圧計用カフ１の装着を簡単に行える利点がある。
【００４３】
（４）・・・  血圧計用カフの第４の実施例の説明
次に、図１０の（Ａ）（Ｂ）は、この血圧計用カフ１の第４の実施例を示したものであって、この場合は、湾曲板６と阻血用空気袋４との間のクッション手段を複数の圧縮コイルばね２８や板ばね２９等のばね材で構成したものであり、前述したスポンジ材７と同等の機能を得ることができるものである。
【００４４】
以上、本発明の実施例について説明したが、本発明は上記した実施例に限定されることなく、本発明の技術的思想に基づいて各種の変更が可能である。
【００４５】
例えば、前述した本発明の実施例では、圧力検出用空気袋５によって圧力信号を検出して、検出される圧力脈波に基づいて血圧を測定するオシロメトリック方式での血圧測定用カフを示したが、本発明は、オシロメトリック方式での血圧測定用のカフに限定されるものではなく、圧力検出用空気袋５の位置に、空気袋の代わりにマイクロフォンを設置することで、血流音に基づいて血圧を測定するコロトコフ方式での血圧測定用のカフについても用いることができる。また、圧力検出用空気袋５を用いないで、阻血用空気袋４から圧力信号を検出して、検出される圧力脈波に基づいて血圧を測定するオシロメトリック方式での血圧測定用カフにも適用することができるものである。
【００４６】
更に、ハンドル８に電源スイッチ等を設けて、連続動作で測定することができるように構成することも可能である。
【００４７】
尚、実施例では、測定部位は上腕であったが、測定部位は限定されるものではなく、例えば手首であってもよい。その場合、測定部位の末梢側の最大部位の太さは、人差し指から小指までの付け根の関節と親指を含めた周囲の太さとなる。
【００４８】
【発明の効果】
以上のように構成された本発明の血圧計用カフは、次のような効果を奏することができる。
【００４９】
本発明の血圧計用カフは、外布と内布との間に空気袋が配置され、前記空気袋と前記外布の間には前記空気袋の外面に沿ってクッション手段を備え、前記クッション手段は、厚さが少なくとも測定部位と測定部位の末梢側の最大部位の太さの差だけ変化可能であるように構成したので、一旦上腕等の測定部位に適切に巻き付けて筒状にしたカフは、クッション手段の弾性による厚みの変化によりカフの内径が容易に広がり測定部位より末梢側の最大部位（測定部位が上腕の場合には肘あたり）を通過できる。従って、同一の測定者が血圧測定を行う場合、最初にカフを測定部位に巻き付けたら、血圧測定後、カフを外す時は、その筒状のまま測定部位から抜いて、次回の血圧測定に際しては、前回の測定で抜いた筒状のカフを測定部位に通すだけで良く、カフをその都度巻き付けたり、巻き外したりしなくても、カフを簡単に装着することができる。即ち、同一の測定者であれば、最初の血圧測定時のカフの装着に際して、カフを巻き付けて後は、次回以降、カフの巻き付けや巻き外しを一切行う必要がなく、カフの脱着操作性が著しく向上する。また、同一の測定者に対しては、常に、同じ巻き付け状態で血圧測定を行うことができることから、巻き付け状態（特に、巻き付けの強弱）による測定のばらつきをなくすることができ、一定期間にわたる血圧の変動傾向をみる血圧管理を適切に行うことができる。
【００５０】
また、クッション手段をスポンジ材で構成したので、組立てが簡単である。
【００５１】
また、内布が伸縮性を有し、内布の少なくとも測定部位と接触する部分が低摩擦性を有するので、測定部位に対するカフの抜き差しを更に容易に行え、カフの脱着が容易である。
【００５２】
更に、クッション手段と外布との間に弾性を有する湾曲板を配置したので、測定部位へのカフの装着を片手操作で容易に行うことができる。
【００５３】
また、カフの展開形状での長手方向の一端部にリングを設けて、カフの該長手方向の他端側をリングを通して折り返し可能に構成したので、測定部へのカフの装着を片手操作で容易に行うことができる。
【００５４】
また、カフの外側に、カフの展開形状での長手方向に対して直角方向に伸びるハンドルを設けたので、そのハンドルを握って、筒状のカフを測定部位に対して容易に抜き差し操作することができる。
【００５５】
更に、カフの展開形状での長手方向に対して直角方向に伸びるタブをカフの該長手方向に対する直角方向の端部に設けたので、タブを引っ張るようにして、筒状のカフを測定部位に対して容易に抜き差しすることができる。
【００５６】
また、空気袋に接続されたチューブをハンドルを通して外部へ導出させたので、筒状のカフを測定部位に対して抜き差しする際に、そのチューブがカフの内側へ巻き込まれたり、折り曲ったりすることがなく、測定部位に対する筒状のカフの抜き差しを安全、かつ、スムーズに行える上に、血圧測定時の給排気や圧力測定を安定良く行える。
【図面の簡単な説明】
【図１】本発明の血圧計用カフの第１の実施例を説明する斜視図である。
【図２】図１の断面図である。
【図３】図１のハンドルを除いた展開形状をカフの外面からみた図である。
【図４】図１のハンドルを除いた展開形状をカフの内面からみた図である。
【図５】（Ａ）はハンドルの構造を説明する図２でのＡ−Ａ断面図である。（Ｂ）は、（Ａ）のハンドル部分についてのＢ−Ｂ矢視図である。
【図６】図１の血圧計用カフを筒状のまま上腕部に対して脱着する様子を説明する斜視図である。
【図７】図６での測定部位と測定部位の末梢側の最大部位について説明する図である。
【図８】本発明の血圧計用カフの第２の実施例を説明する斜視図である。
【図９】本発明の血圧計用カフの第３の実施例を説明する断面図である。
【図１０】本発明の血圧計用カフの第４の実施例を説明する要部の拡大断面図である。
【符号の説明】
１    血圧計用カフ
２    内布
３    外布
４    阻血用空気袋
５    圧力検出用空気袋
６    湾曲板
７    クッション手段であるスポンジ材
８    ハンドル
９    チューブ挿通穴
１２  給排気用チューブ
１３  圧力検出用チューブ
１４  面ファスナー
２１、２２  タブ
２５  リング
２８  クッション手段である圧縮コイルばね
２９  クッション手段である板ばね
【図１】
2004195056.tif 000003
【図２】
2004195056.tif 000004
【図３】
2004195056.tif 000005
【図４】
2004195056.tif 000006
【図５】
2004195056.tif 000007
【図６】
2004195056.tif 000008
【図７】
2004195056.tif 000009
【図８】
2004195056.tif 000010
【図９】
2004195056.tif 000011
【図１０】
2004195056.tif 000012